(57)【特許請求の範囲】
【請求項１】
先端部に開口を有する中空のケース本体と、このケース本体の内部にて凝固する棒状の充填部材を保持し該ケース本体の軸線に沿って移動可能なスライダとを有し、該スライダの移動によって前記ケース本体の開口から前記充填部材を突出または収納可能な繰り出し容器であって、
前記スライダは、前記充填部材を保持する収納部分と、この収納部分の底部から一体に延在する後端部とを有してこの後端部の外側面全周にわたって環状凸部が形成された第１部材と、中空円筒形の先端部の全周にわたって内側面から前記環状凸部と内部嵌合する環状凸部が張り出した第２部材とからなり、これら環状凸部で前記第１部材および前記第２部材を前記ケース本体の軸線に沿って相対移動可能に連結すると共に、この連結部分にて、前記第１部材および前記第２部材を相対回転可能にしたものであることを特徴とする棒状の充填部材の繰り出し容器。
【請求項２】
先端部に開口を有する中空のケース本体と、このケース本体の内部にて凝固する棒状の充填部材を保持し該ケース本体の軸線に沿って移動可能なスライダとを有し、該スライダの移動によって前記ケース本体の開口から前記充填部材を突出または収納可能な繰り出し容器であって、
前記スライダは、前記充填部材を保持する収納部分と、この収納部分の底部から一体に延在する後端部とを有してこの後端部の外側面に沿って複数の凸部が形成された第１部材と、中空円筒形の先端部の全周にわたって内側面から前記凸部と内部嵌合する環状凸部が張り出した第２部材とからなり、これら凸部及び環状凸部で前記第１部材および前記第２部材を前記ケース本体の軸線に沿って相対移動可能に連結すると共に、この連結部分にて、前記第１部材および前記第２部材を相対回転可能にしたものであることを特徴とする棒状の充填部材の繰り出し容器。
【請求項３】
前記第１部材と前記第２部材との連結部分に、前記第１部材および前記第２部材の相対回転を所定の範囲に規制する規制手段を備えた請求項２に記載の棒状の充填部材の繰り出し容器。
【請求項４】
前記規制手段は、前記第２部材に、前記第１部材の凸部と対応する位置に該凸部を挟み込むように周方向に所定の距離だけ離れた一対の規制用リブを形成し、当該規制用リブと前記第１部材の凸部からなるものであることを特徴とする請求項３に記載の棒状の充填部材の繰り出し容器。
【請求項５】
前記第２部材は、前記ケース本体に形成した切欠を通して螺旋筒に係合するガイド突起を有し、前記螺旋筒を固定するベース部材の回転方向に応じて、前記第１部材と共に前記スライダとして前記ケース本体の軸線に沿って進退させるものであることを特徴とする請求項１乃至４のいずれか１項に記載の棒状の充填部材の繰り出し容器。
【発明の詳細な説明】
【０００１】
【発明の属する技術分野】
本発明は、口紅やリップクリーム、スティックのり等の棒状の充填部材を使用状況に応じて容器から適量露出させることができる繰り出し容器に関するものである。
【０００２】
【従来の技術】
繰り出し容器は、先端部に開口を有する中空のケース本体と、このケース本体の内部にて棒状の充填部材を保持し該ケース本体の軸線に沿って移動可能なスライダとを有し、このスライダを移動させることによって、ケース本体の開口から充填部材を突出または収納するものであり、一般的には、口紅等のように、ケース本体の周りを回転自在に取り付けられその回転方向に応じてスライダをケース本体の軸線に沿って進退移動させるベース部材を付加し、このベース部材の回転に応じたスライダの移動によって充填部材を突出または収納する。
【０００３】
一方、こうした繰り出し容器には、予め形状をなした棒状の部材をケース本体内に装填する差し紅タイプと、比較的温度の高い流動体をケースの上部もしくは下部より本体に流し込み、それを冷却、凝固させることによって所望の形状に成形、充填する充填タイプとがあり、このうち、高温の流動体をケース本体に充填して凝固させる充填タイプは、大量生産を安価に実現できるという利点があるため、近年、多くの現場で用いられている。
【０００４】
【発明が解決しようとする課題】
しかしながら、こうした充填タイプにあっては、流動体が凝固する際にその冷却過程で収縮を伴うことがある。このため、流動体がスライダおよびケース本体と一体になって凝固してしまう場合、凝固した充填部材がケース本体の軸線に沿って収縮したり、充填部材が収縮してケース本体の軸線周りにねじれてしまうと、充填部材にひびが入ったり、折れてしまうという不都合があった。
【０００５】
本発明は、上述したような事実に鑑みてなされたものであって、流動体をケース本体に流し込み、それを冷却、凝固させることによって所望の形状に成形、充填する充填タイプの繰り出し容器において生じる充填部材の収縮に伴うひびや折れを解消することを目的とする。
【０００６】
【課題を解決するための手段】
この課題を解決するため、第１発明に係る、棒状の充填部材の繰り出し容器は、先端部に開口を有する中空のケース本体と、このケース本体の内部にて凝固する棒状の充填部材を保持し該ケース本体の軸線に沿って移動可能なスライダとを有し、該スライダの移動によってケース本体の開口から充填部材を突出または収納可能な繰り出し容器であって、スライダは、充填部材を保持する収納部分と、この収納部分の底部から一体に延在する後端部とを有してこの後端部の外側面全周にわたって環状凸部が形成された第１部材と、中空円筒形の先端部の全周にわたって内側面から前記環状凸部と内部嵌合する環状凸部が張り出した第２部材とからなり、これら環状凸部で第１部材および第２部材をケース本体の軸線に沿って相対移動可能に連結すると共に、この連結部分にて、前記第１部材および前記第２部材を相対回転可能にしたものであることを特徴とするものである。
【０００７】
第２発明に係る、棒状の充填部材の繰り出し容器は、先端部に開口を有する中空のケース本体と、このケース本体の内部にて凝固する棒状の充填部材を保持し該ケース本体の軸線に沿って移動可能なスライダとを有し、該スライダの移動によってケース本体の開口から充填部材を突出または収納可能な繰り出し容器であって、スライダは、充填部材を保持する収納部分と、この収納部分の底部から一体に延在する後端部とを有してこの後端部の外側面に沿って複数の凸部が形成された第１部材と、中空円筒形の先端部の全周にわたって内側面から前記凸部と内部嵌合する環状凸部が張り出した第２部材とからなり、これら凸部及び環状凸部で第１部材および第２部材をケース本体の軸線に沿って相対移動可能に連結すると共に、この連結部分にて、第１部材および第２部材を相対回転可能にしたものであることを特徴とするものである。
【０００８】
第３発明に係る、棒状の充填部材の繰り出し容器は、上記第２発明において、第１部材と第２部材との連結部分に、第１部材および第２部材の相対回転を所定の範囲に規制する規制手段を備えたものであることが好ましい。前記規制手段は、前記第２部材に、前記第１部材の凸部と対応する位置に該凸部を挟み込むように周方向に所定の距離だけ離れた一対の規制用リブを形成し、当該規制用リブと前記第１部材の凸部からなるものとすることができる。また、前記第２部材は、前記ケース本体に形成した切欠を通して螺旋筒に係合するガイド突起を有し、前記螺旋筒を固定するベース部材の回転方向に応じて、前記第１部材と共に前記スライダとして前記ケース本体の軸線に沿って進退させるものである。
【０００９】
【発明の実施の形態】
以下、本発明の実施形態を添付図面に基づき詳細に説明する。
【００１０】
図１および図２はそれぞれ、本発明の第１実施形態である口紅ケースの収納状態および使用状態を棒状の充填部材である口紅を装填してない状態で示した断面図である。但し、図１において、（ａ）は口紅ケースの縦断面図、（ｂ）は図１（ａ）のＡ−Ａ断面図、（ｃ）は口紅ケースのキャップを外した状態を上面から見た平面図であり、特に図１（ａ）は、軸線Ｏ１から右側の断面が図１（ｂ）のＢ−Ｂ断面の長手側を示し、軸線Ｏ１から左側の断面が図１（ｂ）のＢ−Ｂ断面の短手側を示す。図３は、口紅を保持したスライダをケース本体に収納した状態で示した斜視図である。
【００１１】
口紅ケース１００は、比較的温度の高い液体状の口紅をケース本体に流し込み、それを冷却、凝固させることによって所望の形状に成形、充填する充填タイプであって、ケース本体１１０と、このケース本体１１０の内部にて口紅Ｌsを保持し該ケース本体の軸線（以下、ケース軸線という）Ｏ１に沿って口紅Ｌsと一体的に移動可能なスライダ１２０とを有し、ケース本体１１０に取り付けたベース部材１３０の回転方向に応じてスライダ１２０をケース軸線Ｏ１に沿って進退移動させるものである。
【００１２】
この口紅ケース１００を詳細に見ていくと、まずケース本体１１０は、その先端部および後端部にそれぞれ開口１１０ａ，１１０ｂを有する中空の円筒部材であって、その側面には、ケース軸線Ｏ１に沿って後端部開口１１０ｂにまで達する切欠１１１がケース軸線Ｏ１に対して対称な２ヶ所の位置に形成されている。
【００１３】
次にスライダ１２０は、先端部に口紅Ｌsを保持する第１部材１２１と、ケース軸線Ｏ１に沿って移動する第２部材１２２とからなり、第１部材１２１の後端部および第２部材１２２の先端部を後述する連結部１２３にて、ケース軸線Ｏ１に沿って移動可能に連結すると共に、第１部材１２１および第２部材１２２をケース軸線Ｏ1周りでの相対回転θを可能にしたものである。
【００１４】
ここで、図４を参照して第１部材１２１および第２部材１２２を詳述する。なお、図４（ａ）は、第１部材１２１を先端部方向から示す平面図、図４（ｂ）は、第１部材１２１を側面から示す一部断面図であり、さらに図４（ｃ）は、第２部材１２２を先端部方向から示す平面図、図４（ｄ）は、第２部材１２２を側面から示す一部断面図である。
【００１５】
第１部材１２１は、図４（ａ），（ｂ）に示す如く、その先端部に口紅Ｌsを保持するための収納部分１２１ａを有し、この収納部分１２１ａの底部から一体に延在させた後端部１２１ｂの所定位置（例えば、収納部分１２１ａの底部から距離Ｃだけ離れた位置）に、この後端部１２１ｂの外側面全周にわたって環状凸部１２３Ａを形成したものである。
【００１６】
また第２部材１２２は、図４（ｃ），（ｄ）に示す如く、中空円筒形の部材であって、その先端部の全周にわたって内側面から第１部材の環状凸部１２３Ａと内部嵌合する環状凸部１２３Ｂが張り出している一方、その外側面には、ケース本体１１０に設けた切欠１１１をガイドとする突起１２２ｐが一体に形成されている。
【００１７】
このため、第１部材１２１および第２部材１２２は、第１部材１２１の収納部分１２１ａから距離Ｃだけ離れた位置に環状凸部１２３Ａを有することによって、ケース軸線Ｏ１に沿って距離Ｃだけ移動可能に連結され、しかも、第２部材１２２には内側面から張り出した環状凸部１２３Ｂが第２部材１２２の内面全周にわたって形成されているため、ケース軸線Ｏ１の周りでの相対回転θが可能になる。
【００１８】
ベース部材１３０は、図１および図２の破線に示す如く、その内部に螺旋溝１３１を設けた螺旋筒１３２が固定状態にセットされており、この螺旋溝１３１に、ケース本体１１０の切欠１１１から突出した第２部材１２２のガイド突起１２２ｐが係合する。これにより、ベース部材１３０は、ケース本体の周りで回転自在に取り付けられ、ベース部材１３０の回転方向に応じて第１部材１２１および第２部材１２２を一体のスライダ１２０としてケース軸線Ｏ１に沿って進退させることができる。このとき、ベース部材１３０の先端部開口には、鍔付きのシールリング１５０を介して金具１６０が取り付けられており、ケース本体１１０をベース部材１３０に対して固定する。
【００１９】
なお、図１の符号１４０は、その内部に複数の固定用リブ１４１を有するキャップであり、このキャップ１４０に設けた固定用リブ１４１がケース本体１１０の外周面に嵌合する。これにより、キャップ１４０をケース本体１１０に対して着脱自在に取り付けることができる。
【００２０】
次に、図３，５，６を参照して口紅ケース１００の作用を説明する。なお、図５は、図１の領域Ｘを示す拡大断面図であり、図６は、口紅Ｌsがケース軸線Ｏ1に沿って収縮したときの図１の領域Ｘを示す拡大断面図である。
【００２１】
まず図５，６を参照すると、比較的温度の高い液体状の口紅をケース本体１１０の開口１１０ａより流し込み、それを冷却、凝固させることによって棒状の口紅Ｌsを成形、充填する場合、第１部材１２１およびケース本体１１０と一体になって口紅Ｌsが凝固して、口紅Ｌsがケース軸線Ｏ１に沿って収縮代ＣOだけ収縮しても、スライダ１２０では、図６に示す如く、ベース部材１３０の回転方向に応じてケース軸線Ｏ１方向に移動する第２部材１２２の位置はベース部材１３０に対してそのままで、口紅Ｌsを保持する第１部材１２１だけがケース軸線Ｏ１に沿って収縮代ＣOだけ移動する。
【００２２】
つまり、スライダ１２０では、スライダ１２０およびケース本体１１０と一体になって凝固した口紅Ｌsがケース軸線Ｏ１に沿って収縮しても、ケース軸線Ｏ１方向に移動する部材は、口紅Ｌsを保持する第１部材１２１だけで済む。
【００２３】
また図３を参照すると、口紅Ｌsがケース軸線Ｏ１に沿って収縮代ＣOだけ収縮する際に、口紅Ｌsがケース軸線Ｏ１周りに収縮代θOだけねじれても、スライダ１２０では、ベース部材１３０の回転方向に応じてケース軸線Ｏ１方向に移動する第２部材１２２はケース軸線Ｏ１周りにねじれることなく、口紅Ｌsを保持する第１部材１２１だけがケース軸線Ｏ１周りに収縮代θOだけねじれることになる。
【００２４】
つまり、スライダ１２０では、第１部材１２１およびケース本体１１０と一体になって凝固した口紅Ｌsがケース軸線Ｏ１周りにねじれても、ケース軸線Ｏ１周りにねじれる部材は、口紅Ｌsを保持する第１部材１２１だけで済む。
【００２５】
従って本実施形態の口紅ケース１００によれば、第１部材１２１および第２部材１２２を連結部分１２３によって、ケース軸線Ｏ１に沿って移動可能に連結すると共に、第１部材１２１および第２部材１２２を相対回転可能にしたから、凝固した口紅Ｌsがケース軸線Ｏ１周りにねじれつつケース軸線Ｏ１に沿って収縮しても、口紅Ｌsにひびが入ったり、折れてしまうことがないため、口紅Ｌsの収縮に伴う不良率の発生を抑制することができる。
【００２６】
ところで、スライダ１２０を構成する第１部材と第２部材との連結には、様々な形態のものを採用することが可能であり、図７にその実施形態を例示する。なお、図７（ａ）は、第１部材の第２実施形態を側面から示す一部断面図、図７（ｂ）は、第２部材の第２実施形態を側面から示す一部断面図であり、さらに図７（ｃ）は、図７（ａ），（ｂ）の第１部材および第２部材を連結した状態を示す断面図であり、ケース本体、ベース部材、キャップなどのスライダ以外の構成は第１実施形態の口紅ケースと同様のものを用いるとする。
【００２７】
図７（ａ）に示す第１部材１２５は、その先端部に口紅Ｌsを保持するための収納部分１２５ａを有し、この収納部分１２５ａの底部から一体に延在させた後端部１２５ｂの所定位置（例えば、収納部分１２５ａの底部から距離Ｃだけ離れた位置）に、この後端部１２５ｂの外側面に沿って複数の凸部１２７Ａを形成したものである。
【００２８】
図７（ｂ）に示す第２部材１２６は、中空円筒形の部材であって、その先端部の全周にわたって内側面から第１部材の凸部１２７Ａと内部嵌合する環状凸部１２７Ｂが張り出し、この環状凸部１２７Ｂ付近には、第１部材の凸部１２７Ａと対応する位置に所定の距離Δθ（≧θO）だけ離れた一対の規制用リブ１２８ａ，１２８ｂが形成されている。なお、第２部材１２６の外側面には、第１実施形態と同様、ケース本体１１０に設けた切欠１１１をガイドとする突起１２６ｐが一体に形成されている。
【００２９】
第１部材１２５および第２部材１２６を連結させた場合、連結部分１２７が第１部材１２５の収納部分１２５ａから距離Ｃだけ離れた位置に凸部１２７Ａを有することによって、第１実施形態の図６と同様、第１部材１２５および第２部材１２６をケース軸線Ｏ１に沿って収縮代ＣOだけ移動させることができ、しかも、第１部材１２５および第２部材１２６を連結させたとき、図７（ｃ）に示す如く、２つの規制用リブ１２８ａ，１２８ｂ間に第１部材の凸部１２７Ａが位置するため、第１部材１２５および第２部材１２６間での相対回転を所定範囲Δθに規制することができる。つまり、第１部材１２５および第２部材１２６の相対回転を所定の範囲に規制する規制手段は、第１部材１２５の凸部１２７Ａと、第２部材１２６の規制用リブ１２８ａ，１２８ｂからなる。
【００３０】
従って第２実施形態によれば、第１部材１２５と第２部材１２６との連結部分１２７に、第１部材１２５および第２部材１２６の相対回転を所定の範囲Δθに規制するための規制手段（凸部１２７Ａ、規制用リブ１２８ａ，１２８ｂ）を備えたことにより、ケース本体１１０の開口１１０ａから突出した口紅Ｌsの空転を抑制できるから、第１実施形態の効果に加えて、口紅Ｌsを快適に使用できるという効果が得られる。なお、第１部材１２５は、図４（ｃ），（ｄ）に示す第２部材１２２と連結させてもよい。
【００３１】
上述したところは、本発明の好適な実施形態を示したに過ぎず、当業者によれば、請求の範囲において、種々の変更を加えることができる。例えば、本発明に係る繰り出し容器は、樹脂を適用することができるが金属、あるいはその組合せにて構成されるものであってもよく、材質についてはとくに限定はされない。また、充填部材は、口紅に限らず、リップクリーム、スティックのり等であってもよい。
【００３２】
さらに本実施形態においては、上部充填タイプを例示して説明したが、充填方式もこれに限ることなく、例えば、図示しないが、第１部材１２１（１２５）およびベース部材１３０の底面に開口を設け、この開口から充填を行う底部充填タイプとすることも可能である。
【００３３】
【発明の効果】
第１発明は、スライダが充填部材を保持する第１部材とケース本体の軸線に沿って移動する第２部材とからなり、第１部材および第２部材をケース本体の軸線に沿って移動可能に連結したから、スライダおよびケース本体と一体になって凝固した充填部材がケース本体の軸線に沿って収縮しても、ケース本体の軸線方向に移動する部材は、充填部材を保持する第１部材だけで済む。
【００３４】
従って第１発明よれば、凝固した充填部材がケース本体の軸線に沿って収縮しても、充填部材にひびが入ったり、折れてしまうことがないため、充填部材の収縮に伴う不良率の発生を抑制することができる。
【００３５】
第２発明は、スライダは、充填部材を保持する第１部材と、ケース本体の軸線に沿って移動する第２部材とからなり、第１部材および第２部材をケース本体の軸線に沿って移動可能に連結すると共に、この連結部分にて、第１部材および第２部材を相対回転可能にしたから、スライダおよびケース本体と一体になって凝固した充填部材がケース本体の軸線周りにねじれつつケース本体の軸線に沿って収縮しても、ケース本体の軸線周りにねじれつつケース本体の軸線方向に移動する部材は、充填部材を保持する第１部材だけで済む。
【００３６】
従って第２発明よれば、凝固した充填部材がケース本体の軸線周りにねじれつつケース本体の軸線に沿って収縮しても、充填部材にひびが入ったり、折れてしまうことがないため、充填部材の収縮に伴う不良率の発生を抑制することができる。
【００３７】
第３発明は、上記第２発明において、第１部材と第２部材との連結部分に、第１部材および第２部材の相対回転を所定の範囲に規制する規制手段を備えることにより、ケース本体の開口から突出した充填部材の空転を抑制できるから、上記第２発明の効果に加えて、充填部分を快適に使用できるという効果が得られる。
【図面の簡単な説明】
【図１】  （ａ）は、本発明の第１実施形態である口紅ケースの収納状態を示す縦断面図、（ｂ）は（ａ）のＡ−Ａ断面図であり、さらに、（ｃ）は口紅ケースのキャップを外した状態を上面から見た平面図である。
【図２】  同形態における口紅ケースの使用時を示す縦断面図である。
【図３】  棒状の充填部材である口紅を保持したスライダをケース本体に収納した状態で示した斜視図である。
【図４】  （ａ）は、第１部材を先端部方向から示す平面図、（ｂ）は、第１部材を側面から示す一部断面図であり、さらに、（ｃ）は、第２部材を先端部方向から示す平面図、図５（ｄ）は、第２部材を側面から示す一部断面図である。
【図５】  図１の領域Ｘを示す拡大断面図である。
【図６】  口紅Ｌsがケース軸線Ｏ1に沿って収縮したときの図１の領域Ｘを示す拡大断面図である。
【図７】  （ａ）は、第１部材の第２実施形態を側面から示す一部断面図、（ｂ）は、第２部材の第２実施形態を側面から示す一部断面図であり、さらに、（ｃ）は、（ａ），（ｂ）の第１部材および第２部材を連結した状態を示す断面図である。
【符号の説明】
１００  口紅ケース
１１０  ケース本体
１１０ａ  ケース先端部開口
１１０ｂ  ケース後端部開口
１１１  切欠
１２０  スライダ
１２１  第１部材
１２１ａ  収納部分
１２１ｂ  後端部
１２２  第２部材
１２２ｐ  ガイド突起
１２３  連結部分
１２３Ａ  環状凸部
１２３Ｂ  環状凸部
１２５  第１部材
１２５ａ  収納部分
１２５ｂ  後端部
１２６  第２部材
１２６ｐ  ガイド突起
１２６  連結部分
１２７Ａ  凸部
１２７Ｂ  環状凸部
１２８ａ  規制用リブ
１２８ｂ  規制用リブ
１３０  ベース部材
１３１  螺旋溝
１３２  螺旋筒
１４０  キャップ
１４１  固定用リブ
１５０  シールリング
１６０  金具
Ｏ１  ケース軸線
Ｌs  口紅
【図１】
0004711277.tif 000002
【図２】
0004711277.tif 000003
【図３】
0004711277.tif 000004
【図４】
0004711277.tif 000005
【図５】
0004711277.tif 000006
【図６】
0004711277.tif 000007
【図７】
0004711277.tif 000008